【手続補正書】
【提出日】平成18年10月30日(2006.10.30)
【手続補正１】
【補正対象書類名】明細書
【補正対象項目名】発明の名称
【補正方法】変更
【補正の内容】
【発明の名称】インクジェット記録装置、記録方法、記録物
【手続補正２】
【補正対象書類名】明細書
【補正対象項目名】特許請求の範囲
【補正方法】変更
【補正の内容】
【特許請求の範囲】
【請求項１】
インク滴を吐出するノズルと、このノズルが連通する加圧室と、この加圧室内のインクを加圧する圧力を発生する圧力発生手段とを有するヘッドを備えたインクジェット記録装置において、
肉眼で認識できない大きさのメインドットとサテライトドットとを形成する
ことを特徴とするインクジェット記録装置。
【請求項２】
請求項１に記載のインクジェット記録装置において、
前記サテライトドットがメインドットに対して独立して形成される
ことを特徴とするインクジェット記録装置。
【請求項３】
請求項２に記載のインクジェット記録装置において、
前記サテライトドットがメインドットの着弾位置から１ドットピッチ以上離れた位置に形成される
ことを特徴とするインクジェット記録装置。
【請求項４】
請求項１乃至３のいずれかに記載のインクジェット記録装置において、
前記メインドットとサテライトドットとを形成するインク滴を吐出させる駆動制御手段を備えている
ことを特徴とするインクジェット記録装置。
【請求項５】
請求項１乃至４のいずれかに記載のインクジェット記録装置において、
前記サテライトドットの面積がメインドットの面積よりも小さくなるインク滴を吐出させる
ことを特徴とするインクジェット記録装置。
【請求項６】
請求項１乃至５のいずれかに記載のインクジェット記録装置において、
記録画像が文字又は線画像であるときは前記サテライトドットが形成されないインク滴を吐出させる
ことを特徴とするインクジェット記録装置。 
【請求項７】
請求項１乃至６のいずれかに記載のインクジェット記録装置において、
前記メインドットと他のメインドットに対するサテライトドットとが同じ着弾位置になるときには当該メインドットを形成するインク滴を吐出させない
ことを特徴とするインクジェット記録装置。 
【請求項８】
請求項１乃至７のいずれかに記載のインクジェット記録装置において、
淡い色のインクを用いるときにのみ前記サテライトドットが形成されるインク滴を吐出させる
ことを特徴とするインクジェット記録装置。 
【請求項９】 
請求項１乃至８のいずれかに記載のインクジェット記録装置において、
画像のハイライト部でのみ前記サテライトドットが形成され、シャドウ部では前記サテライトドットが形成されないインク滴を吐出させる
ことを特徴とするインクジェット記録装置。
【請求項１０】
インク滴を吐出するノズルと、このノズルが連通する加圧室と、この加圧室内のインクを加圧する圧力を発生する圧力発生手段とを有するヘッドを備えたインクジェット記録装置における記録方法において、
肉眼で認識できない大きさのメインドットとサテライトドットとを形成することを特徴とする記録方法。
【請求項１１】
請求項１乃至９のいずれかに記載のインクジェット記録装置を用いて記録された記録物。
【手続補正３】
【補正対象書類名】明細書
【補正対象項目名】０００１
【補正方法】変更
【補正の内容】
【０００１】
【産業上の利用分野】
本発明はインクジェット記録装置、記録方法、記録物に関する。
【手続補正４】
【補正対象書類名】明細書
【補正対象項目名】００１１
【補正方法】変更
【補正の内容】
【００１１】
本発明は上記の点に鑑みてなされたものであり、微小ドットを形成できて粒状性を向上したインクジェット記録装置、記録方法、記録物を提供することを目的とする。
【手続補正５】
【補正対象書類名】明細書
【補正対象項目名】００１２
【補正方法】変更
【補正の内容】
【００１２】
【課題を解決するための手段】
上記の課題を解決するため、本発明に係るインクジェット記録装置は、肉眼で認識できない大きさのメインドットとサテライトドットとを形成する構成とした。
【手続補正６】
【補正対象書類名】明細書
【補正対象項目名】００１３
【補正方法】変更
【補正の内容】
【００１３】
ここで、サテライトドットがメインドットに対して独立して形成される構成とできる。この場合、サテライトドットがメインドットの着弾位置から１ドットピッチ以上離れた位置に形成される構成とできる。また、メインドットとサテライトドットとを形成するインク滴を吐出させる駆動制御手段を備えている構成とできる。また、サテライトドットの面積がメインドットの面積よりも小さくなるインク滴を吐出させることが好ましい。
【手続補正７】
【補正対象書類名】明細書
【補正対象項目名】００１５
【補正方法】変更
【補正の内容】
【００１５】
また、淡い色のインクを用いるときにのみサテライトドットが形成されるインク滴を吐出させることが好ましい。さらに、画像のハイライト部でのみサテライトドットが形成され、シャドウ部ではサテライトドットが形成されないインク滴を吐出させることが好ましい。
本発明に係る記録方法は、肉眼で認識できない大きさのメインドットとサテライトドットとを形成する構成とした。
本発明に係る記録物は、本発明に係るインクジェット記録装置を用いて記録されたものである。
【手続補正８】
【補正対象書類名】明細書
【補正対象項目名】００３１
【補正方法】変更
【補正の内容】
【００３１】
次に、このように構成したインクジェット記録装置の作用について本発明に係る記録方法、本発明に係る記録物を含めて図６以降をも参照して説明する。
先ず、図６及び図７を参照して本発明による微小ドットの形成について説明する。この記録装置においては、図６に示すように、大ドット及び小ドットの外に、微小ドットを形成することができる。この微小ドットはメイン滴が着弾して形成されるメインドットＤｍとサテライト滴が着弾して形成されるサテライトドットＤｓに分割したものであり、インク滴量としては小ドットと微小ドットは同じである。
【手続補正９】
【補正対象書類名】明細書
【補正対象項目名】００４７
【補正方法】変更
【補正の内容】
【００４７】
【発明の効果】
以上説明したように、本発明に係るインクジェット記録装置によれば、肉眼で認識できない大きさのメインドットとサテライトドットとを形成する構成としたので、微小ドットを形成することができて画像の粒状性が向上する。
【手続補正１０】
【補正対象書類名】明細書
【補正対象項目名】００４８
【補正方法】変更
【補正の内容】
【００４８】
ここで、サテライトドットがメインドットに対して独立して形成される構成とすることで、微小ドットを形成することができて画像の粒状性が向上する。この場合、サテライトドットがメインドットの着弾位置から１ドットピッチ以上離れた位置に形成される構成とすることで、独立したサテライトドットを確実に形成できる。また、メインドットとサテライトドットとを形成するインク滴を吐出させる駆動制御手段を備えている構成とできる。また、サテライトドットの面積がメインドットの面積よりも小さくなるインク滴を吐出させることで、サテライトドットの融合による画像劣化を防止できる。
【手続補正１１】
【補正対象書類名】明細書
【補正対象項目名】００５０
【補正方法】変更
【補正の内容】
【００５０】
また、淡い色のインクを用いるときにのみサテライトドットが形成されるインク滴を吐出させることで、サテライトドットの結合による画像劣化を防止できる。さらに、画像のハイライト部でのみサテライトドットが形成され、シャドウ部ではサテライトドットが形成されないインク滴を吐出させることでもサテライトドットの結合による画像劣化を防止できる。
本発明に係る記録方法によれば、肉眼で認識できない大きさのメインドットとサテライトドットとを形成する構成としたので、微小ドットを形成することができて画像の粒状性が向上する。
本発明に係る記録物によれば、本発明に係るインクジェット記録装置を用いて記録されたものであるので、粒状性が向上した画像が形成された記録物を得ることができる。